(57)【要約】【課題】出入口の開放態様を様々に選択でき、車椅子を使用する高齢者や介護者の出入りが容易な浴室用Ｗ型折戸を提供する。【解決手段】上枠１１、下枠１２及び両側の縦枠１３が接合された枠体Ｆ１と、４枚のドア板２１，２２がヒンジ部２３を介して横方向に連結された扉体Ｄ１とから成り、両側端寄りのドア板２１と中央寄りのドア板２２を連結するヒンジ部２３と、中央寄りのドア板２２同士を連結するヒンジ部２３とは、逆方向に屈曲するものとし、扉体Ｄ１には、両側端寄りのドア板２１の側縁部分の上端及び下端、並びに、中央寄りのドア板２２同士の連結部の上端及び下端にそれぞれスライダー２４を設ける。全てのスライダー２４を上枠１１及び下枠１２にそれぞれスライド自在に嵌合させ、ドア板２１，２２がスライダー２４の部分で上枠１１及び下枠１２に対し回動自在となるようにする。【選択図】図３
2019007240.tif 000002
【特許請求の範囲】
【請求項１】
上枠(11)、下枠(12)及び両側の縦枠(13)が接合されて浴室の出入口の周囲を形成する枠体(F1)と、浴室の出入口を開閉する４枚のドア板(21,22)がヒンジ部(23)を介して横方向に連結された扉体(D1)とから成り、
前記両側端寄りのドア板(21)と中央寄りのドア板(22)を連結するヒンジ部(23)と、中央寄りのドア板(22)同士を連結するヒンジ部(23)とは、逆方向に屈曲するものとされ、
前記扉体(D1)には、両側端寄りのドア板(21)の側縁部分の上端及び下端、並びに、中央寄りのドア板(22)同士の連結部の上端及び下端にそれぞれスライダー(24)が設けられ、
前記扉体(D1)の上端及び下端の全てのスライダー(24)が前記枠体(F1)の上枠(11)及び下枠(12)にそれぞれスライド自在に嵌合し、前記ドア板(21,22)が前記スライダー(24)の部分で前記上枠(11)及び下枠(12)に対し回動自在とされ、
前記４枚のドア板(21,22)は、前記スライダー(24)の上枠(11)及び下枠(12)に対するスライドと、前記スライダー(24)での回動と、前記ヒンジ部(23)での屈伸に伴い、浴室の内部へ迫り出して、前記枠体(F1)のいずれか任意の縦枠(13)寄りに重なった状態で浴室の出入口を全体的に開放し、若しくは、いずれか片側の２枚のドア板(21,22)が重なった状態で浴室の出入口の半分を開放し、又は、同一面に並んで浴室の出入口を全体的に閉塞する浴室用Ｗ型折戸。
【発明の詳細な説明】
【技術分野】
【０００１】
この発明は、浴室の出入口に設けられる折戸に関するものである。
【背景技術】
【０００２】
一般に、浴室の出入口に設けられる折戸は、図８に示すように、上枠５１及び下枠５２を備えた枠体Ｆ２と、２枚のドア板６１，６２がヒンジ部６５を介して横方向に連結された扉体Ｄ２とから成る２枚折戸とされている（下記特許文献１参照）。
【０００３】
この折戸では、扉体Ｄ２の一方のドア板６１の側縁部分が浴室の出入口の一側部にヒンジ５３を介して回動自在に連結されることにより、扉体Ｄ２が枠体Ｆ２に取り付けられ、他方のドア板６２の側縁部分の上端及び下端に設けられたスライダー５４が上枠５１及び下枠５２にそれぞれスライド自在に嵌合し、ドア板６２がスライダー５４の部分で上枠５１及び下枠５２に対して回動するものとされている。
【０００４】
そして、扉体Ｄ２の２枚のドア板６１，６２は、スライダー５４の上枠５１及び下枠５２に対するスライドと、ヒンジ５３及びスライダー５４の部分での回動と、互いの連結部であるヒンジ部６５での屈伸に伴い、浴室の内部へ迫り出して出入口を開放し、又は、同一面に並んで出入口を閉塞するようになっている。
【０００５】
ところで、上記２枚折戸では、老人介護施設等の浴室の出入口に設置した場合、車椅子の通行に十分な開口幅を確保することが困難であるため、図９に示すように、出入口の開口幅を２枚折戸の場合よりも広く設定して、枠体Ｆ３の一側部にドア板６１，６２が連結された２枚折戸の扉体Ｄ３を備え、他側部に１枚の開戸であるドア板６３を備えた浴室ドアを設置することも考えられる（下記特許文献２参照）。
【０００６】
このような浴室ドアでは、浴室の出入りに際し、通常、１枚のドア板６３を閉じた状態で、２枚折戸の扉体Ｄ３のみを開閉するようにして、湿気の漏出等を防止でき、車椅子が通る場合には、扉体Ｄ３に加えてドア板６３を開き、開口幅を拡大することができる。
【０００７】
また、図１０に示すように、４枚のドア板６１乃至６４がヒンジ部を介して横方向に連結された扉体Ｄ４を、浴室の出入口の一側にヒンジを介して取り付け、出入口の開放に際しては、出入口の一側にドア板６１乃至６４を重ねて寄せる４枚折戸を設置することも考えられる（下記特許文献３参照）。
【先行技術文献】
【特許文献】
【０００８】
【特許文献１】特開平９−７８９１７号公報
【特許文献２】特開２０１２−１９７５５８号公報
【特許文献３】特開２００５−４８３７５号公報
【発明の概要】
【発明が解決しようとする課題】
【０００９】
しかしながら、図９に示すような浴室ドアでは、２枚折戸のドア板６１，６２と開戸のドア板６３を両方開いたとき、これらが出入口の両側に振り分けられるので、出入口を通行する車椅子がそれらの端縁に衝突しやすくなる。
【００１０】
また、図１０に示すような４枚折戸では、開放時に扉体のドア板６１乃至６４が重なる側部が出入口の一側にのみ限定されるため、設置状況によっては、体の不自由な高齢者や介護者が出入りしにくい場合もある。
【００１１】
そこで、この発明は、出入口の開放態様を様々に選択でき、車椅子を使用する高齢者や介護者の出入りが容易な浴室用Ｗ型折戸を提供しようとするものである。
【課題を解決するための手段】
【００１２】
上記のような課題を解決するため、この発明に係る浴室用Ｗ型折戸は、上枠、下枠及び両側の縦枠が接合されて浴室の出入口の周囲を形成する枠体と、浴室の出入口を開閉する４枚のドア板がヒンジ部を介して横方向に連結された扉体とから成り、
前記両側端寄りのドア板と中央寄りのドア板を連結するヒンジ部と、中央寄りのドア板同士を連結するヒンジ部とは、逆方向に屈曲するものとされ、
前記扉体には、両側端寄りのドア板の側縁部分の上端及び下端、並びに、中央寄りのドア板同士の連結部の上端及び下端にそれぞれスライダーが設けられ、
前記扉体の上端及び下端の全てのスライダーが前記枠体の上枠及び下枠にそれぞれスライド自在に嵌合し、前記ドア板が前記スライダーの部分で前記上枠及び下枠に対し回動自在とされ、
前記４枚のドア板は、前記スライダーの上枠及び下枠に対するスライドと、前記スライダーでの回動と、前記ヒンジ部での屈伸に伴い、浴室の内部へ迫り出して、前記枠体のいずれか任意の縦枠寄りに重なった状態で浴室の出入口を全体的に開放し、若しくは、いずれか片側の２枚のドア板が重なった状態で浴室の出入口の半分を開放し、又は、同一面に並んで浴室の出入口を全体的に閉塞するものとしたのである。
【発明の効果】
【００１３】
この発明に係るＷ型折戸を浴室の出入口に設置すると、車椅子が通る場合には、扉体を構成する４枚のドア板を枠体のいずれの縦枠寄りに重なった状態としても、浴室の出入口を全体的に開放することができ、通常の出入りに際しては、いずれの片側の２枚のドア板が重なった状態としても、浴室の出入口の半分を開放することができる。
【００１４】
このように、必要に応じて、出入口の開放態様を様々に選択できるので、設置場所の状況を問わず、車椅子を使用する高齢者や介護者の出入りが容易となる。
【００１５】
また、浴室内の扉体の付近で高齢者等が倒れた場合にも、４枚のドア板を上枠及び下枠の任意の位置で回動させて、浴室の出入口を大きく開放できるので、倒れた人の救出を容易に行うことができる。
【図面の簡単な説明】
【００１６】
【図１】この発明の実施形態に係るＷ型折戸による浴室の出入口の閉塞状態を浴室の内部から見た斜視図
【図２】同上の浴室の内部から見て（２Ａ）左側２枚のドア板、（２Ｂ）右側２枚のドア板がそれぞれ重なった状態で出入口の半分を開放した状態を示す斜視図
【図３】同上の４枚のドア板が浴室の内部から見て（３Ａ）右寄り、（３Ｂ）左寄りにそれぞれ重なった状態で出入口を全体的に開放した状態を示す斜視図
【図４】同上の出入口の閉塞状態における中央寄りのドア板での縦断面図
【図５】図４のＶ−Ｖ線に沿った横断面図
【図６】同上の浴室の内部から見て（６Ａ）左側２枚のドア板、（６Ｂ）右側２枚のドア板がそれぞれ重なった状態を示す横断面図
【図７】同上の４枚のドア板が浴室の内部から見て（６Ａ）右寄り、（６Ｂ）左寄りにそれぞれ重なった状態を示す横断面図
【図８】特許文献１に記載の２枚折戸から成る浴室ドアを示す斜視図
【図９】特許文献２に記載の２枚折戸と１枚の開戸から成る浴室ドアを示す斜視図
【図１０】特許文献３に記載の４枚折戸から成る浴室ドアを示す概略平面図
【発明を実施するための形態】
【００１７】
以下、この発明の実施形態を添付図面に基づいて説明する。
【００１８】
図１乃至図３に示すように、このＷ型折戸は、浴室の出入口の周囲を形成するように上枠１１、下枠１２及び両側の縦枠１３が接合された枠体Ｆ１と、両側端寄り及び中央寄りの各２枚計４枚のドア板２１，２２がヒンジ部２３を介して横方向に連結された扉体Ｄ１とから構成されている。
【００１９】
両側端寄りのドア板２１と中央寄りのドア板２２を連結するヒンジ部２３と、中央寄りのドア板２２同士を連結するヒンジ部２３とは、逆方向に屈曲するものとされている。
【００２０】
扉体Ｄ１には、両側端寄りのドア板２１の側縁部分の上端及び下端と、中央寄りのドア板２２同士の連結部の上端及び下端にそれぞれスライダー２４が設けられている。
【００２１】
扉体Ｄ１の上端及び下端の全てのスライダー２４は、枠体Ｆ１の上枠１１及び下枠１２のレール１４にそれぞれスライド自在に嵌合し、ドア板２１，２２がスライダー２４の部分で上枠１１及び下枠１２に対し回動自在となっている。
【００２２】
そして、ドア板２１，２２は、スライダー２４の上枠１１及び下枠１２に対するスライドと、スライダー２４の部分での回動と、ヒンジ部２３での屈伸に伴い、浴室の出入口を開放する際、浴室の内部へ迫り出すようになっている。
【００２３】
また、浴室の水密性を確保するため、図４及び図５に示すように、枠体Ｆ１において、上枠１１、下枠１２及び側枠１３の扉体Ｄ１よりも外部側には、扉体Ｄ１の周縁部に被さる方向の段差が設けられると共に、扉体Ｄ１の外面に密着する気密材１１ａ，１２ａ，１３ａが設けられている。
【００２４】
扉体Ｄ１のドア板２１，２２は、上框２５ａ、下框２５ｂ、両側の縦框２５ｃにより形成された外周部の内側に、ガラスの面材２６が張設されたものであり、ドア板２２の高さ方向の中間部には、中桟２５ｄが設けられている。ドア板２１，２２の下部には、ガラリ羽根２５ｅとガラリ桟２５ｆが設けられ、換気ガラリ２７が形成されている。
【００２５】
また、開閉時に指先を掛けられるように、ドア板２２の中桟２５ｄには横取手２８が設けられ、ドア板２１のヒンジ部２３側の縦框２５ｃには縦取手２９が設けられている。
【００２６】
上記のようなＷ型折戸を浴室の出入口に設置した老人介護施設等において、入浴中等、浴室の内外を遮断したい場合には、図１及び図５に示すように、扉体Ｄ１の４枚のドア板２１，２２が同一面に並んで浴室の出入口を閉塞した状態としておく。
【００２７】
そして、浴室の出入口の通常の出入りに際しては、図２及び図６に示すように、ドア板２１，２２のスライダー２４の上枠１１及び下枠１２に対するスライドと、スライダー２４での回動と、ヒンジ部２３での屈伸に伴い、浴室の内部へ迫り出した左右いずれか片側の２枚のドア板２１，２２が重なった状態として、浴室の出入口の半分を開放する。
【００２８】
また、高齢者等を載せた車椅子が浴室の出入口を通過する際には、図３及び図７に示すように、浴室の内部へ迫り出した４枚のドア板２１，２２が枠体Ｆ１の左右いずれか任意の縦枠１３寄りに重なった状態として、浴室の出入口を全体的に開放する。
【００２９】
このように、上記のようなＷ型折戸では、必要に応じて、浴室の出入口の開放態様を様々に選択できるので、設置場所の状況を問わず、車椅子を使用する高齢者や介護者の出入りが容易となる。
【００３０】
また、浴室内の扉体Ｄ１の付近で高齢者等が倒れた場合にも、４枚のドア板２１，２２を上枠１１及び下枠１２の任意の位置で回動させて、浴室の出入口を大きく開放できるので、倒れた人の救出を容易に行うことができる。
【００３１】
なお、上記実施形態では、上枠１１及び下枠１２のレール１４にスライダー２４が嵌合し、スライダー２４に対してドア板２１，２２が回動するものを例示したが、上枠１１及び下枠１２に形成された溝にローラー状のスライダー２４が嵌合し、上枠１１及び下枠１２に対してスライダー２４が回動するようにしてもよい。
【００３２】
また、介護施設の浴室の出入口に設置した場合を例示したが、このＷ型折戸は、介護施設以外の入浴施設や一般家庭の浴室に設置してもよい。
【符号の説明】
【００３３】
Ｄ１  扉体
Ｆ１  枠体
１１  上枠
１２  下枠
１３  縦枠
１１ａ，１２ａ，１３ａ  気密材
１４  レール
２１，２２  ドア板
２３  ヒンジ部
２４  スライダー
２５ａ  上框
２５ｂ  下框
２５ｃ  縦框
２５ｄ  中桟
２５ｅ  ガラリ羽根
２５ｆ  ガラリ桟
２６  面材
２７  換気ガラリ
２８  横取手
２９  縦取手
【図１】
2019007240.tif 000003
【図２】
2019007240.tif 000004
【図３】
2019007240.tif 000005
【図４】
2019007240.tif 000006
【図５】
2019007240.tif 000007
【図６】
2019007240.tif 000008
【図７】
2019007240.tif 000009
【図８】
2019007240.tif 000010
【図９】
2019007240.tif 000011
【図１０】
2019007240.tif 000012